(57)【特許請求の範囲】
【請求項１】
被写体を撮像して撮像情報を取得する撮像装置であって、
位置を測定して位置情報を取得する測位手段と、
撮像情報が取得されるときに前記測位手段により取得される撮像位置を示す位置情報と前記撮像情報とに基づいて画像情報を作成する作成手段と、
前記作成手段により作成された画像情報と基準位置に関する位置情報とを記憶する記憶手段と、
前記記憶手段に記憶された画像情報が外部に出力されるときに前記画像情報に含まれる撮像位置を示す位置情報の秘匿の要否を判定する判定手段と、
前記判定手段による判定結果に応じて、前記画像情報に含まれる撮像位置を示す位置情報を加工する加工手段と、
を備え、
前記測位手段は、前記作成手段により作成された画像情報が外部に出力されるときの出力位置に関する位置情報を取得し、
前記判定手段は、前記測位手段により取得された出力位置に関する位置情報と前記記憶手段に記憶された基準位置に関する位置情報とを比較した結果に応じて、前記画像情報に含まれる撮像位置を示す位置情報の秘匿の要否を判定する撮像装置。
【請求項２】
請求項１に記載の撮像装置であって、
前記判定手段は、前記作成手段により作成された画像情報に含まれる撮像位置を示す位置情報と前記記憶手段に記憶された基準位置に関する位置情報とを比較した結果に応じて、前記秘匿の要否を判定する撮像装置。
【請求項３】
請求項１または２に記載の撮像装置であって、
前記記憶手段は、本体に対して着脱自在な可搬性の記録メディアを備え、
前記記録メディアは、前記記録メディアを識別するための識別情報を記憶しており、
前記判定手段は、前記記録メディアの取り外しが指示されたときを、前記記憶手段に記憶された画像情報が外部に出力されるときであるとみなして、前記記録メディアに記憶されている識別情報に応じて、前記画像情報に含まれる撮像位置を示す位置情報の秘匿の要否を判定する撮像装置。
【請求項４】
請求項１ないし３のいずれかに記載の撮像装置であって、
前記判定手段は、前記測位手段が前記作成手段により作成された画像情報が外部に出力されるときの出力位置に関する位置情報を取得できたか否かに応じて、前記画像情報に含まれる撮像位置を示す位置情報の秘匿の要否を判定する撮像装置。
【請求項５】
請求項１ないし４のいずれかに記載の撮像装置であって、
外部装置との間でデータ通信を行う通信手段をさらに備え、
前記判定手段は、前記通信手段により前記撮像装置が外部装置とデータ通信可能に接続されたときを前記記憶手段に記憶された画像情報が外部に出力されるときであると判定し、前記秘匿の要否を判定する撮像装置。
【請求項６】
請求項１ないし５のいずれかに記載の撮像装置であって、
前記判定手段による仮判定結果に応じた報知情報を出力する出力手段と、
前記出力手段により出力された報知情報に対するユーザの指示情報を受け付ける操作手段と、
をさらに備え、
前記判定手段は、前記指示情報に応じて、前記仮判定結果を最終的な判定結果として修正する撮像装置。
【請求項７】
請求項１ないし６のいずれかに記載の撮像装置であって、
前記加工手段による加工には、撮像位置を示す位置情報の疑似情報への置換が含まれる撮像装置。
【請求項８】
基準位置に関する位置情報を撮像装置の記憶手段に記憶する工程と、
前記撮像装置により被写体を撮像して撮像情報を取得する撮像工程と、
前記撮像工程において撮像情報が取得されるときに測位手段により前記撮像情報の撮像位置を示す位置情報を取得する撮像位置取得工程と、
前記撮像位置取得工程において取得された位置情報と前記撮像工程において取得された撮像情報とに基づいて画像情報を作成する作成工程と、
前記作成工程において作成された画像情報を前記撮像装置の記憶手段に記憶する記憶工程と、
前記撮像手段の記憶手段に記憶された画像情報が外部に出力されるときの出力位置に関する位置情報を取得する出力位置取得工程と、
前記撮像装置の記憶手段に記憶された画像情報が前記撮像装置から外部に出力されるときに、前記出力位置取得工程において取得された出力位置に関する位置情報と前記撮像装置の記憶手段に記憶された基準位置に関する位置情報とを比較した結果に応じて、前記画像情報に含まれる位置情報の秘匿の要否を判定する判定工程と、
前記判定工程における判定結果に応じて、前記画像情報に含まれる位置情報を加工する加工工程と、
前記加工工程において加工された画像情報を保存する保存工程と、
を有する画像保存方法。
【請求項９】
コンピュータ読み取り可能なプログラムであって、前記プログラムの前記コンピュータによる実行は、前記コンピュータを、
被写体を撮像して撮像情報を取得する撮像手段と、
位置を測定して位置情報を取得する測位手段と、
撮像情報が取得されるときに前記測位手段により取得される撮像位置を示す位置情報と前記撮像情報とに基づいて画像情報を作成する作成手段と、
前記作成手段により作成された画像情報と基準位置に関する位置情報とを記憶する記憶手段と、
前記記憶手段に記憶された画像情報が外部に出力されるときに前記画像情報に含まれる撮像位置を示す位置情報の秘匿の要否を判定する判定手段と、
前記判定手段による判定結果に応じて、前記画像情報に含まれる撮像位置を示す位置情報を加工する加工手段と、
を備え、
前記測位手段は、前記作成手段により作成された画像情報が外部に出力されるときの出力位置に関する位置情報を取得し、
前記判定手段は、前記測位手段により取得された出力位置に関する位置情報と前記記憶手段に記憶された基準位置に関する位置情報とを比較した結果に応じて、前記画像情報に含まれる撮像位置を示す位置情報の秘匿の要否を判定する撮像装置として機能させるプログラム。
【発明の詳細な説明】
【技術分野】
【０００１】
本発明は、撮影位置を含む画像情報を処理する技術に関する。
【背景技術】
【０００２】
従来より、ＧＰＳ機能を有するデジタルカメラ等の撮像装置で撮像する画像情報に、撮像位置に関する情報を付加する技術が提案されている。撮像位置が付加された画像情報は、当該撮像位置を用いた様々なアプリケーションに使用することができ、画像情報の新たな楽しみ方として注目されている。
【０００３】
一方で、インターネットの普及により、個人により撮像された画像情報がホームページやブログ等で使用され公開される事態も生じている。しかし、撮像位置は場合によっては個人情報（例えば住所を特定できる場合等）として漏洩を防止する必要がある情報に該当し、当該情報が画像情報の公開に伴って流出する事態が生じている。そこで、例えば、先行文献１には、撮影位置情報等を暗号化することにより、画像情報に付加された撮影位置に関する情報の漏洩を防止する技術が記載されている。
【先行技術文献】
【特許文献】
【０００４】
【特許文献１】特開２００９−２２５２２９号公報
【発明の概要】
【発明が解決しようとする課題】
【０００５】
ところが、上記特許文献１には、撮影条件に基づいて撮影位置情報等を暗号化して格納すると記載されているものの、撮影条件の内容が明確でない上に、撮影時に画像情報の状態が確定してしまうという問題があった。例えば、同じ画像情報を、個人のパーソナルコンピュータ上で個人利用のアルバムに使用するとともに、ホームページやブログ等に公開して利用する場合がある。このように、異なる複数の形態で利用される画像情報の場合、撮影時の撮影条件により暗号化の要否を決定してしまうと、利便性が低下するおそれがある。
【０００６】
また、「暗号化」は漏洩を抑制する効果的な手段の一つではあるが、解析される可能性が皆無ではなく、内容が漏洩する危険性がまったくないわけではない。したがって、画像情報の用途によっては、そもそも暗号化した情報すら付加したくないと考える場合があるが、これを撮影時に予測し決定することは容易ではない。また、例え撮影時に決定したとしても、撮影時の決定を後に変更したいと考える場合もあれば、撮影時の決定を忘却し誤って公開してしまう危険性も生じる。
【０００７】
さらに、デジタルカメラで作成された画像情報は、パーソナルコンピュータ等の外部装置に転送してから閲覧等に利用されることが多い。このような場合、画像情報が暗号化されていると、転送される側の装置にこれを復号化するための専用のプログラムが必要となり、画像情報の汎用性が低下する。
【０００８】
本発明は、上記課題に鑑みてなされたものであり、撮像位置に関する情報を含む画像情報の利便性や汎用性の低下を抑制しつつ、個人情報である撮像位置に関する情報の漏洩を効果的に防止する技術を提供することを目的とする。
【課題を解決するための手段】
【０００９】
上記の課題を解決するため、請求項１の発明は、被写体を撮像して撮像情報を取得する撮像装置であって、位置を測定して位置情報を取得する測位手段と、撮像情報が取得されるときに前記測位手段により取得される撮像位置を示す位置情報と前記撮像情報とに基づいて画像情報を作成する作成手段と、前記作成手段により作成された画像情報と基準位置に関する位置情報とを記憶する記憶手段と、前記記憶手段に記憶された画像情報が外部に出力されるときに前記画像情報に含まれる撮像位置を示す位置情報の秘匿の要否を判定する判定手段と、前記判定手段による判定結果に応じて、前記画像情報に含まれる撮像位置を示す位置情報を加工する加工手段とを備え、前記測位手段は、前記作成手段により作成された画像情報が外部に出力されるときの出力位置に関する位置情報を取得し、前記判定手段は、前記測位手段により取得された出力位置に関する位置情報と前記記憶手段に記憶された基準位置に関する位置情報とを比較した結果に応じて、前記画像情報に含まれる撮像位置を示す位置情報の秘匿の要否を判定する。
【００１０】
また、請求項２の発明は、請求項１に記載の撮像装置であって、前記判定手段は、前記作成手段により作成された画像情報に含まれる撮像位置を示す位置情報と前記記憶手段に記憶された基準位置に関する位置情報とを比較した結果に応じて、前記秘匿の要否を判定する。
【００１５】
また、請求項３の発明は、請求項１または２の発明に係る撮像装置であって、前記記憶手段は、本体に対して着脱自在な可搬性の記録メディアを備え、前記記録メディアは、前記記録メディアを識別するための識別情報を記憶しており、前記判定手段は、前記記録メディアの取り外しが指示されたときを、前記記憶手段に記憶された画像情報が外部に出力されるときであるとみなして、前記記録メディアに記憶されている識別情報に応じて、前記画像情報に含まれる撮像位置を示す位置情報の秘匿の要否を判定する。
【００１９】
また、請求項４の発明は、請求項１ないし３のいずれかの発明に係る撮像装置であって、前記判定手段は、前記測位手段が前記作成手段により作成された画像情報が外部に出力されるときの出力位置に関する位置情報を取得できたか否かに応じて、前記画像情報に含まれる撮像位置を示す位置情報の秘匿の要否を判定する。
【００２０】
また、請求項５の発明は、請求項１ないし４のいずれかの発明に係る撮像装置であって、外部装置との間でデータ通信を行う通信手段をさらに備え、前記判定手段は、前記通信手段により前記撮像装置が外部装置とデータ通信可能に接続されたときを前記記憶手段に記憶された画像情報が外部に出力されるときであると判定し、前記秘匿の要否を判定する。
【００２１】
また、請求項６の発明は、請求項１ないし５のいずれかの発明に係る撮像装置であって、前記判定手段による仮判定結果に応じた報知情報を出力する出力手段と、前記出力手段により出力された報知情報に対するユーザの指示情報を受け付ける操作手段とをさらに備え、前記判定手段は、前記指示情報に応じて、前記仮判定結果を最終的な判定結果として修正する。
【００２３】
また、請求項７の発明は、請求項１ないし６のいずれかの発明に係る撮像装置であって、前記加工手段による加工には、撮像位置を示す位置情報の疑似情報への置換が含まれる。
【００２６】
また、請求項８の発明は、画像保存方法であって、基準位置に関する位置情報を撮像装置の記憶手段に記憶する工程と、前記撮像装置により被写体を撮像して撮像情報を取得する撮像工程と、前記撮像工程において撮像情報が取得されるときに測位手段により前記撮像情報の撮像位置を示す位置情報を取得する撮像位置取得工程と、前記撮像位置取得工程において取得された位置情報と前記撮像工程において取得された撮像情報とに基づいて画像情報を作成する作成工程と、前記作成工程において作成された画像情報を前記撮像装置の記憶手段に記憶する記憶工程と、前記撮像手段の記憶手段に記憶された画像情報が外部に出力されるときの出力位置に関する位置情報を取得する出力位置取得工程と、前記撮像装置の記憶手段に記憶された画像情報が前記撮像装置から外部に出力されるときに、前記出力位置取得工程において取得された出力位置に関する位置情報と前記撮像装置の記憶手段に記憶された基準位置に関する位置情報とを比較した結果に応じて、前記画像情報に含まれる位置情報の秘匿の要否を判定する判定工程と、前記判定工程における判定結果に応じて、前記画像情報に含まれる位置情報を加工する加工工程と、前記加工工程において加工された画像情報を保存する保存工程とを有する。
【００２８】
また、請求項９の発明は、コンピュータ読み取り可能なプログラムであって、前記プログラムの前記コンピュータによる実行は、前記コンピュータを、被写体を撮像して撮像情報を取得する撮像手段と、位置を測定して位置情報を取得する測位手段と、撮像情報が取得されるときに前記測位手段により取得される撮像位置を示す位置情報と前記撮像情報とに基づいて画像情報を作成する作成手段と、前記作成手段により作成された画像情報と基準位置に関する位置情報とを記憶する記憶手段と、前記記憶手段に記憶された画像情報が外部に出力されるときに前記画像情報に含まれる撮像位置を示す位置情報の秘匿の要否を判定する判定手段と、前記判定手段による判定結果に応じて、前記画像情報に含まれる撮像位置を示す位置情報を加工する加工手段とを備え、前記測位手段は、前記作成手段により作成された画像情報が外部に出力されるときの出力位置に関する位置情報を取得し、前記判定手段は、前記測位手段により取得された出力位置に関する位置情報と前記記憶手段に記憶された基準位置に関する位置情報とを比較した結果に応じて、前記画像情報に含まれる撮像位置を示す位置情報の秘匿の要否を判定する撮像装置として機能させる。
【発明の効果】
【００３０】
請求項１ないし９に記載の発明は、画像情報が撮像装置から外部に出力されるときに秘匿の要否を判定することにより、撮像時に判定する場合に比べて、漏洩を効果的に防止できる。
また、撮像装置から外部に画像情報が出力されるときの出力位置に関する位置情報に応じて、撮像位置に関する位置情報の秘匿の要否を判定できる。したがって、状況に応じた秘匿の要否判定をすることができるとともに、すべての画像情報に関して加工の要否を判定する場合に比べて処理が軽減される。
【００３１】
請求項２に記載の発明は、判定手段は作成手段により作成された画像情報に含まれる撮像位置を示す位置情報と記憶手段に記憶された基準位置に関する位置情報とを比較した結果に応じて、秘匿の要否を判定することにより、撮影位置に応じて、撮像位置に関する位置情報の秘匿の要否を判定することができ、状況に応じた秘匿の要否判定を行うことができるとともに、すべての画像情報に関して秘匿の要否を判定する場合に比べて処理が軽減される。
【００３５】
請求項３に記載の発明は、判定手段は記録メディアの取り外しが指示されたときを、記憶手段に記憶された画像情報が外部に出力されるときであるとみなして、秘匿の要否を判定する。記録メディアの取り外しが指示されたときには、取り外された記録メディアに記憶されている画像情報が外部に出力される（持ち出される）蓋然性が高い。したがって、より適切なタイミングで秘匿の要否判定ができる。
【００３７】
請求項５に記載の発明は、外部装置との間でデータ通信を行う通信手段をさらに備え、判定手段は通信手段により撮像装置が外部装置とデータ通信可能に接続されたときを記憶手段に記憶された画像情報が外部に出力されるときであると判定し、秘匿の要否を判定する。何らかの通信回線が確保されたときには、画像情報が外部に出力される蓋然性が高い。したがって、より適切なタイミングで秘匿の要否判定ができる。
【００３８】
請求項６に記載の発明は、判定手段による仮判定結果に応じた報知情報を出力する出力手段と、出力手段により出力された報知情報に対するユーザの指示情報を受け付ける操作手段とをさらに備え、判定手段は当該指示情報に応じて、仮判定結果を最終的な判定結果として修正することにより、ユーザに対して報知情報により注意を喚起し、最終的な秘匿の要否判定をユーザの意思に従って行うことができる。
【００４０】
請求項７に記載の発明は、加工手段による加工には、撮像位置を示す位置情報の疑似情報への置換が含まれることにより、確実に漏洩を防止できる。
【００４１】
請求項１６および１７，１９，２１に記載の発明は、撮像位置に応じて、撮像位置に関する位置情報の秘匿の要否判定を撮像時に行うことができる。
【図面の簡単な説明】
【００４２】
【図１】本発明に係る撮像装置としてのデジタルカメラを含む画像閲覧システムの構成を示す図である。
【図２】デジタルカメラの構成を示す図である。
【図３】デジタルカメラの機能ブロックをデータの流れとともに示す図である。
【図４】第１の実施の形態におけるデジタルカメラによって実現される本発明の第１の実施の形態における画像保存方法を示す流れ図である。
【図５】第１の実施の形態におけるデジタルカメラによって実現される本発明の第１の実施の形態における画像保存方法を示す流れ図である。
【図６】第２の実施の形態におけるデジタルカメラによって実現される本発明の第２の実施の形態における画像保存方法を示す流れ図である。
【図７】第２の実施の形態におけるデジタルカメラによって実現される本発明の第２の実施の形態における画像保存方法を示す流れ図である。
【図８】第２の実施の形態におけるデジタルカメラによって実現される本発明の第２の実施の形態における画像保存方法を示す流れ図である。
【発明を実施するための形態】
【００４３】
以下、本発明の好適な実施の形態について、添付の図面を参照しつつ、詳細に説明する。
【００４４】
＜１．  第１の実施の形態＞
図１は、本発明に係る撮像装置としてのデジタルカメラ１を含む画像閲覧システム９の構成を示す図である。画像閲覧システム９は、デジタルカメラ１および閲覧端末７から構成されており、デジタルカメラ１において作成された画像情報（後述）を、閲覧端末７において閲覧するシステムとして構成されている。
【００４５】
図１に示すように、デジタルカメラ１は、着脱可能なＵＳＢケーブル等のケーブル９０によって閲覧端末７に接続することが可能とされている。これによりデジタルカメラ１がケーブル９０により閲覧端末７に接続されている状態において、デジタルカメラ１と閲覧端末７との間でデータ通信が可能とされている。また、デジタルカメラ１と閲覧端末７との間の情報のやり取りは、着脱可能な可搬性の記録メディア９１を介して行うことも可能である。さらに、図１には図示しないが、デジタルカメラ１と閲覧端末７との間のデータ通信は、Ｗｉｆｉ等の無線通信が採用されてもよい。
【００４６】
一方で、デジタルカメラ１は可搬性の撮像装置としても構成されている。したがって、ユーザは、ケーブル９０を取り外して、デジタルカメラ１を任意の場所に携帯し、所望の位置における被写体を撮像することが可能である。
【００４７】
閲覧端末７は、一般的なパーソナルコンピュータであり、インターネットのような広域網（ネットワーク９２）に接続されており、様々なコンテンツ（例えばデジタルカメラ１で撮像された画像等）をホームページやブログ等の形式で広く一般に公開し閲覧させることが可能であるとともに、ユーザの個人的な使用（閲覧）も可能となっている。すなわち、閲覧端末７に存在する情報としては、公開される情報と公開されるべきでない個人情報とが混在し、これらを混同することなく、適切に管理することが要求される。
【００４８】
また、画像閲覧システム９における閲覧端末７は、デジタルカメラ１との間で記録メディア９１を共用できるように構成されている。
【００４９】
図２は、デジタルカメラ１の構成を示す図である。デジタルカメラ１は、ＣＰＵ１０、記憶部１１、操作部１２、液晶パネル１３およびスピーカ１４を備えており、一般的なコンピュータとしての構成および機能を有している。
【００５０】
ＣＰＵ１０は、記憶部１１に記憶されているプログラム１１０に従って動作することにより、各種情報処理を実行するとともに、デジタルカメラ１の各構成を制御する。言い換えれば、コンピュータとしてのデジタルカメラ１がＣＰＵ１０によってプログラム１１０を実行することにより、本実施の形態におけるデジタルカメラ１の各種機能が実現される。なお、ＣＰＵ１０の動作については後述する。
【００５１】
記憶部１１は、ＣＰＵ１０によって実行されるプログラム１１０や基準位置情報１１１、閾値情報１１２、識別情報１１３等の各種情報を記憶する。なお、基準位置情報１１１はユーザの自宅等の基準となる場所（基準位置）に関する位置情報であり、閾値情報１１２は画像情報８０を秘匿の要否の判定基準となる相対距離の閾値を示す情報であり、識別情報１１３は秘匿を要する画像情報８０を記憶する目的で装着される記録メディア９１を識別するための情報であるが、これらについては後述する。
【００５２】
図２において、記憶部１１は１つの構成として便宜上図示しているが、実際には、読み取り専用のＲＯＭや、ＣＰＵ１０の一時的なワーキングエリアとして使用される揮発性のＲＡＭ、あるいは、不揮発性でかつ読み書き可能な記憶素子から構成されるメモリなど、用途に応じた様々なハードウェアから構成されている。
【００５３】
図２に示すように、本実施の形態における記憶部１１には、画像情報８０を格納するための撮像フォルダ１１４が作成される。画像情報８０は、撮像部１６によって取得された撮像情報８２と、当該撮像情報８２が取得（撮像）されたときに測位部１５によって取得された位置情報８１と、当該撮像情報８２が取得（撮像）されたときに計時部１７によって取得された日時情報８３とが関連づけられた情報である。
【００５４】
このように、デジタルカメラ１では、画像情報８０に含まれる位置情報８１および日時情報８３により、当該画像情報８０に含まれる撮像情報８２の撮像位置および撮像日時がわかるようにされている。なお、画像情報８０を格納するための撮像フォルダ１１４は、記録メディア９１に作成されてもよい。また、位置情報８１を画像情報８０に含める画像ファイルの規格として、例えば、Exif（Exchangeable Image File）規格等が採用可能である。
【００５５】
操作部１２は各種ボタン類やキー等から構成されており、デジタルカメラ１に対するユーザの指示情報を受け付ける。例えば、デジタルカメラ１に撮像を指示するシャッターボタンや記録メディア９１を取り外すことを指示するイジェクトボタン、電源ボタン、各種の撮影条件やファイル操作に関する指示等を入力するためのキー等が操作部１２に該当する。
【００５６】
液晶パネル１３は、各種情報を画面に表示することにより、これらの情報をユーザに対して出力することにより提供する。特に、本実施の形態における液晶パネル１３は、後述する報知情報を表示する。すなわち、液晶パネル１３は、本発明における出力手段に相当する。
【００５７】
スピーカ１４は、音声を再生することにより、ユーザに様々な状況を報知する機能を有している。なお、本実施の形態におけるデジタルカメラ１は、後述する報知情報を液晶パネル１３にのみ出力するが、報知情報をスピーカ１４において音声として再生してもよい。すなわち、スピーカ１４を出力手段として用いてもよい。
【００５８】
また、図２に示すように、デジタルカメラ１は、測位部１５、撮像部１６、計時部１７、カードスロット１８および通信部１９を備えている。
【００５９】
測位部１５は、任意のタイミング（ＣＰＵ１０からの制御信号により通知されるタイミング）におけるデジタルカメラ１の位置を測定して位置情報８１を取得する機能を有する。特に、測位部１５は、後述する撮像部１６が撮像を行うときのデジタルカメラ１の位置を測定して位置情報８１を取得する。すなわち、測位部１５は、操作部１２（シャッターボタン）が操作されたことに連動して、デジタルカメラ１による撮像位置を示す位置情報８１を取得する。
【００６０】
なお、本実施の形態における測位部１５は、一般的なＧＰＳ機能を提供する構成であるが、デジタルカメラ１の位置を測定できるものであればＧＰＳ機能による測定に限定されるものではない。例えば、デジタルカメラ１が無線ＬＡＮの機能を有している場合には、当該無線ＬＡＮによる測位機能によって位置を測定するものでもよいし、これらが併用されてもよい。また、測位部１５が位置のみならず、方位（撮像方向）に関する情報も取得し、取得した撮像方向を位置情報８１に含めるように構成されていてもよい。
【００６１】
撮像部１６は、図示しないレンズ等の光学素子や、ＣＣＤ等の光電変換素子から構成され、操作部１２（シャッターボタン）が操作されたタイミングに応じて、被写体を撮像して撮像情報８２を取得する機能を有する。
【００６２】
計時部１７は、日付および時刻を保持しており、撮像部１６により撮像情報８２が取得されたときの日時を示す日時情報８３を取得する機能を有している。すなわち、計時部１７は、操作部１２（シャッターボタン）が操作されたことに連動して、日時情報８３を取得する。このようにして取得された日時情報８３は、撮像情報８２の撮像日時を示す。
【００６３】
カードスロット１８は、記録メディア９１を着脱可能に収納する機能を有している。これによりＣＰＵ１０は、カードスロット１８に装着された記録メディア９１に対して様々な情報を記憶させることが可能となるとともに、記録メディア９１に記憶されている様々な情報を読み出すことも可能となる。なお、カードスロット１８が複数の記録メディア９１を収納可能であってもよい。
【００６４】
記録メディア９１は、ＳＤカードやＣＦカード等の可搬性の不揮発性記録媒体であって、デジタルカメラ１のカードスロット１８に装着可能であるだけでなく、閲覧端末７にも装着可能である。本実施の形態における記録メディア９１は、個々の記録メディア９１を識別するための識別情報９１０を予め記憶している。
【００６５】
図２に示すように、記録メディア９１には、加工画像情報８４と画像情報８５とを格納するための出力用フォルダ９１１が作成される。なお、加工画像情報８４は画像情報８０（主に位置情報８１）をＣＰＵ１０により加工した情報であり、画像情報８５はＣＰＵ１０によって位置情報８１の秘匿が不要と判定され、位置情報８１の加工がされることなく撮像フォルダ１１４から複写された画像情報８０であるが詳細は後述する。
【００６６】
通信部１９は、ケーブル９０の端部を挿入することが可能なコネクタを構成しており、ケーブル９０を介してデジタルカメラ１が閲覧端末７との間でデータ通信を行う機能を提供する。なお、デジタルカメラ１が閲覧端末７との間で無線ＬＡＮ、無線ＷＡＮあるいは無線ＭＡＮ等の無線による通信を行う場合には、通信部１９が無線通信機能を提供する。
【００６７】
図３は、デジタルカメラ１の機能ブロックをデータの流れとともに示す図である。図３に示す作成部１００、情報加工部１０１および判定部１０２は、ＣＰＵ１０がプログラム１１０に従って動作することにより実現される機能ブロックである。
【００６８】
作成部１００は、撮像部１６により撮像情報８２が取得されるときに、測位部１５により取得される位置情報８１（撮像位置を示す位置情報）を測位部１５から取得して、当該位置情報８１と当該撮像情報８２とに基づいて画像情報８０を作成する。また、作成部１００は、撮像情報８２に基づいて画像情報８０を作成する際に、計時部１７により取得された日時情報８３を当該画像情報８０に付加する。
【００６９】
すなわち、作成部１００は、撮像により取得される撮像情報８２と、当該撮像に連動して取得される位置情報８１および日時情報８３とに基づいて、画像情報８０を作成する機能を有している。作成部１００により作成された画像情報８０は、撮像フォルダ１１４に格納される。
【００７０】
情報加工部１０１は、判定部１０２から伝達される判定結果（より詳細には最終的な判定結果）に応じて、当該判定結果が伝達されたタイミングで、撮像フォルダ１１４に格納されている画像情報８０に含まれている位置情報８１（撮像位置を示す位置情報）を加工し、加工画像情報８４を作成する。
【００７１】
本実施の形態における情報加工部１０１は、画像情報８０に含まれる位置情報８１を当該画像情報８０から削除することにより、画像情報８０を加工画像情報８４に加工し作成する。位置情報８１が削除された加工画像情報８４を公開したとしても、撮像位置（位置情報８１）が漏洩することはなく、確実に個人情報の漏洩を防止できる。
【００７２】
なお、情報加工部１０１は、画像情報８０に含まれる位置情報８１をダミーデータ（疑似情報）に置換することにより、画像情報８０を加工画像情報８４に加工してもよい。ダミーデータしか含んでいない加工画像情報８４からは、撮像位置（位置情報８１）が漏洩することはなく、確実に個人情報の漏洩を防止できる。また、情報加工部１０１は、画像情報８０に含まれる位置情報８１を暗号化することにより、画像情報８０を加工画像情報８４に加工してもよい。また、情報加工部１０１は、加工画像情報８４のベンダーユニークな領域等に位置情報８１を移動させて格納してもよい。さらに、これらの加工方法が、適宜、ユーザにより選択されてもよい。
【００７３】
また、情報加工部１０１は、判定部１０２から伝達される判定結果において位置情報８１に対する加工が不要であると判定された画像情報８０を撮像フォルダ１１４から読み出して、これを画像情報８５とする。
【００７４】
なお、情報加工部１０１によって作成された加工画像情報８４および画像情報８５は、画像情報８０の出力先として指定される出力先に対して出力され保存される。本実施の形態における画像情報８０の出力先は、記録メディア９１の出力用フォルダ９１１（図２）、または、通信部１９を介してデジタルカメラ１に接続される外部装置（例えば、図１に示す閲覧端末７）である。
【００７５】
本実施の形態における情報加工部１０１は、加工画像情報８４に変換した画像情報８０を撮像フォルダ１１４から削除しない。すなわち、画像情報８０における位置情報８１が加工されて加工画像情報８４として出力された後においても、撮像フォルダ１１４には元々の画像情報８０（位置情報８１が加工されていない状態の画像情報８０）が格納されたまま保存される。したがって、ユーザは、加工画像情報８４が作成された後においても、位置情報８１が加工されていない状態の画像情報８０を利用することができる。
【００７６】
なお、画像情報８５は元となった画像情報８０と同一の情報であるため、画像情報８５の元となった画像情報８０は記憶部１１の記憶容量を確保するために、撮像フォルダ１１４から削除される。ただし、特にユーザから指示されない限り、すべての画像情報８０を記憶しておいてもよい。
【００７７】
また、加工画像情報８４の元となった画像情報８０についても、当該加工画像情報８４との関連づけを保存しつつ、当該画像情報８０に含まれる撮像情報８２を削除して情報量を抑制してもよい。すなわち、加工画像情報８４に変換された画像情報８０については、位置情報８１および日時情報８３のみを撮像フォルダ１１４に退避させて保存しておくように構成してもよい。
【００７８】
判定部１０２は、画像情報８０が外部に出力されるときに、様々な判定条件に応じて、当該画像情報８０に含まれる位置情報８１の秘匿の要否を判定する。そして、判定部１０２による最終的な判定結果は、情報加工部１０１に伝達される。なお、本実施の形態における判定部１０２が位置情報８１の秘匿の要否を判定する際の判定条件については後に詳述する。
【００７９】
本実施の形態における判定部１０２は、通信部１９によりデジタルカメラ１が外部装置（例えば閲覧端末７）とデータ通信可能に接続されたときを、画像情報８０が外部に出力されるときであるとみなして、当該画像情報８０の位置情報８１の秘匿の要否を判定する。デジタルカメラ１において、通信回線が確保されたときには、画像情報８０が外部に出力される蓋然性が高いからである。具体的には、判定部１０２は、デジタルカメラ１の通信部１９にケーブル９０が接続されたことを検出して、このタイミングで位置情報８１の秘匿の要否の判定を行う。
【００８０】
あるいは、判定部１０２は、通信部１９を介して接続された外部装置から、画像情報８０の出力要求を受信したときを、画像情報８０が外部に出力されるときであるとみなしてもよい。なお、通信部１９が無線通信を行う場合、判定部１０２は、外部装置との間で無線通信のリンクが確立されたときを、画像情報８０が外部に出力されるときであるとみなしてもよい。
【００８１】
また、判定部１０２は、操作部１２が操作され、撮像フォルダ１１４に格納されている画像情報８０を、出力用フォルダ９１１に転送するように指示がされたときを、画像情報８０が外部に出力されるときであるとみなして、当該画像情報８０の位置情報８１の秘匿の要否を判定する。また、判定部１０２は、記憶部１１の空き記憶容量が所定量より少なくなったときに、自動的に、撮像フォルダ１１４内の画像情報８０の出力用フォルダ９１１への転送を開始する。このときも、判定部１０２は、画像情報８０が外部に出力されるときであるとみなして、位置情報８１の秘匿の要否を判定する。任意のタイミングで取り外すことが可能な記録メディア９１は、デジタルカメラ１の外部装置とみなせるため、記憶部１１から記録メディア９１への転送は外部装置への出力とみなせるからである。
【００８２】
また、判定部１０２は、操作部１２が操作され、記録メディア９１の取り外しが指示されたときを、画像情報８０が外部に出力されるときであるとみなして、位置情報８１の秘匿の要否を判定する。本実施の形態では、画像情報８０は、記憶部１１に作成された撮像フォルダ１１４に格納されており、記録メディア９１が取り外されても、画像情報８０はデジタルカメラ１の外部に持ち出されることはない。
【００８３】
しかし、記録メディア９１の取り外しを指示したユーザは、画像情報８０を外部に持ち出す意図を有している蓋然性が高い。したがって、デジタルカメラ１はこのタイミングで、撮像フォルダ１１４に格納されている画像情報８０の出力用フォルダ９１１への出力（転送）を開始する。そして、この出力に際して、画像情報８０を加工画像情報８４として出力するか、画像情報８５として出力するかを決定するために、判定部１０２による判定を行う。
【００８４】
一方、先述のように、撮像フォルダ１１４は記録メディア９１に作成することも可能であるが、着脱自在な記録メディアの取り外しはイジェクトボタンを操作することにより行われるが一般的であり、かつ、一般的なイジェクトボタンは本体機器の電源がＯＦＦの状態でも機能するように構成されている。しかし、撮像フォルダ１１４が記録メディア９１に作成されている場合、電源がＯＦＦの状態であれば判定部１０２による判定を行うことはできず、かつ、情報加工部１０１による処理も実行できない。したがって、このような状況で、記録メディア９１が取り外されるのは好ましくない。
【００８５】
このような状況を回避する手法の一例として、撮像フォルダ１１４が作成されている記録メディア９１を取り外すためのイジェクトボタンに関しては、デジタルカメラ１の電源がＯＦＦの状態のときにおいてロック状態となるように構成し、電源がＯＮの状態でしか機能しないように構成することが考えられる。
【００８６】
このように構成すれば、ユーザは、デジタルカメラ１の電源をＯＮの状態にしてからでなければ当該イジェクトボタンを操作することができず、当該記録メディア９１を取り外すことができない。そして、電源がＯＮの状態でイジェクトボタン（操作部１２）が操作されたときには、判定部１０２は、そのタイミングを記録メディア９１の取り外しが指示されたタイミングとして検出することができ、情報加工部１０１による処理も実行できる。
【００８７】
また、上記状況を回避する手法の一例としては、イジェクトボタンを操作するためには、カードスロット１８に設けられた蓋を開放しなければならない構造を採用し、当該蓋が開放されている状態では、常に、デジタルカメラ１の電源がＯＮの状態になるように構成することが考えられる。
【００８８】
このように構成すれば、ユーザがイジェクトボタンを操作する前に、当該蓋を開けることによってデジタルカメラ１の電源がＯＮの状態となり、当該蓋が開いていることを検出したときに判定部１０２による判定を行い、当該判定結果に応じて、情報加工部１０１による処理を実行することができる。
【００８９】
さらに、上記状況を回避する手法の一例としては、電源ボタン（操作部１２）の操作によりデジタルカメラ１の電源をＯＦＦにする指示がされたときを、記録メディア９１の取り外しが指示されたときとみなすことが考えられる。
【００９０】
このように構成すれば、撮像が行われて新たな画像情報８０が記録メディア９１に作成されたとしても、デジタルカメラ１の電源がＯＦＦにされるときに、必ず判定部１０２による判定が行われ、情報加工部１０１による処理も実行される。したがって、電源がＯＦＦにされた状態においては、すべての画像情報８０は加工画像情報８４または画像情報８５として出力用フォルダ９１１内に存在しており、その状態で記録メディア９１がイジェクトボタンの操作により取り外されても問題は生じない。
【００９１】
なお、撮像フォルダ１１４が記録メディア９１に作成されている場合は、例え、すべての画像情報８０が加工画像情報８４または画像情報８５として出力用フォルダ９１１に存在していたとしても、ユーザの誤操作による位置情報８１の漏洩のおそれがある。例えば、出力用フォルダ９１１の加工画像情報８４または画像情報８５ではなく、誤って撮像フォルダ１１４の画像情報８０を複写しようとする場合が考えられる（画像情報８０は削除されていないため）。したがって、このような記録メディア９１に関しては、撮像フォルダ１１４からの情報の複写・転送を禁止しておく、あるいは、撮像フォルダ１１４内の画像情報８０を隠しファイルとする、またあるいは、デジタルカメラ１に特有のフォーマットで画像情報８０を作成しておく（例えば閲覧端末７で表示できなければ誤った選択を防止できる）等が考えられる。
【００９２】
本実施の形態の判定部１０２は、後述する判定条件により、一旦、画像情報８０に含まれる位置情報８１の秘匿が必要と判定したときは、その判定結果を仮判定結果として、これに応じた報知情報を液晶パネル１３に表示させてユーザに通知する。さらに、液晶パネル１３により表示された報知情報に対するユーザの指示情報を操作部１２から取得し、当該指示情報に応じて、最終的な判定結果を情報加工部１０１に出力する。これにより、ユーザに対して報知情報による注意を喚起を促すことができるとともに、最終的な秘匿の判定をユーザの意思に従って行うことができる。
【００９３】
なお、判定部１０２は、報知情報によってユーザに対して通知するのみで、ユーザによる指示情報の入力を待つことなく、仮判定結果を最終的な判定結果として情報加工部１０１に出力してもよい。その場合、ユーザは、報知情報により加工がされたか否かを知得することができるとともに、１つ１つの画像情報８０に対して、いちいち指示情報を入力する必要がない。したがって、ユーザの操作の負担が軽減される。
【００９４】
以上がデジタルカメラ１の構成および機能の説明である。次に、デジタルカメラ１を用いて画像を保存する方法について説明する。
【００９５】
図４および図５は、第１の実施の形態におけるデジタルカメラ１によって実現される本発明の第１の実施の形態における画像保存方法を示す流れ図である。
【００９６】
デジタルカメラ１のＣＰＵ１０は、電源が投入されると、所定の初期設定を実行し（ステップＳ１）、所定の状態を監視する監視状態となる。
【００９７】
監視状態において、ＣＰＵ１０は、記録メディア９１のカードスロット１８への装着と、基準位置の登録指示と、撮像指示と、判定タイミングとを監視する状態となる（ステップＳ２，Ｓ７，Ｓ１０，Ｓ１６）。
【００９８】
監視状態において新しい記録メディア９１を検出すると、ＣＰＵ１０はステップＳ２においてＹｅｓと判定し、検出された記録メディア９１がすでに公開用の記録メディア９１（公衆に公開される撮像情報８２を記録するために使用される記録メディア９１）として登録されているか否かを判定する（ステップＳ３）。
【００９９】
ステップＳ３における判定は、ステップＳ２において検出された記録メディア９１に記憶されている識別情報９１０と、記憶部１１に記憶されている識別情報１１３とを照合することにより行う。そして、これらが一致した場合はすでに登録されていると判定し、一致しない場合は未だ登録されていないと判定する。
【０１００】
ステップＳ２において検出された記録メディア９１がすでに公開用の記録メディア９１として登録されていると判定された場合、ＣＰＵ１０はステップＳ３においてＹｅｓと判定し、ステップＳ４ないしＳ６の処理をスキップして、監視状態に戻る。
【０１０１】
一方、ステップＳ２において検出された記録メディア９１が未だ公開用の記録メディア９１として登録されていないと判定された場合、ＣＰＵ１０はステップＳ３においてＮｏと判定し、当該記録メディア９１の用途を入力するように促すメッセージを液晶パネル１３に表示させるとともに、ユーザにより用途が入力されるまで待機する（ステップＳ４）。
【０１０２】
ユーザは、液晶パネル１３に表示されたメッセージに従って、操作部１２を操作することにより、当該記録メディア９１の用途が公開用であるか否かを入力する。
【０１０３】
ユーザによって操作部１２が操作され、記録メディア９１の用途が入力されると、ＣＰＵ１０はステップＳ４においてＹｅｓと判定し、入力された用途が公開用であるか否かを判定する（ステップＳ５）。
【０１０４】
ステップＳ２において検出された記録メディア９１の用途として、ユーザにより、「公開用」が設定された場合、ＣＰＵ１０はステップＳ５においてＹｅｓと判定し、当該記録メディア９１に記憶されている識別情報９１０を識別情報１１３として記憶部１１にコピーして記憶し（ステップＳ６）、監視状態に戻る。すなわち、当該記録メディア９１を公開用の記録メディア９１として登録する。
【０１０５】
一方、ステップＳ２において検出された記録メディア９１の用途として、ユーザにより、「公開用」が設定されなかった場合、ＣＰＵ１０はステップＳ５においてＮｏと判定し、ステップＳ６をスキップして、監視状態に戻る。
【０１０６】
監視状態において、ユーザにより操作部１２が操作され、基準位置の登録指示が入力されると、ＣＰＵ１０はステップＳ７においてＹｅｓと判定し、測位部１５に位置を測定させる。これに応じて測位部１５が現在位置を測定し（ステップＳ８）、取得された位置情報が基準位置情報１１１として記憶部１１に格納される。これにより、ステップＳ８が実行されたときのデジタルカメラ１の存在位置が、新たな基準位置として設定される。
【０１０７】
このように、デジタルカメラ１は、自機がユーザ所望の基準位置に存在するときに測位部１５によって取得される位置情報を基準位置情報１１１として記憶部１１に記憶させることができる。したがって、例えば、キー操作により入力する場合に比べて基準位置情報１１１を容易に記憶させることができる。
【０１０８】
次に、ユーザが操作部１２を操作して、ステップＳ８において設定された基準位置における閾値（相対距離）を入力する（ステップＳ９）。これにより、ＣＰＵ１０は、ステップＳ９において入力された閾値を閾値情報１１２として記憶部１１に記憶させてから、再び監視状態に戻る。
【０１０９】
監視状態において、ユーザにより操作部１２が操作されて、撮像指示が入力されると、ＣＰＵ１０はステップＳ１０においてＹｅｓと判定し、撮像部１６に撮像を行わせ、計時部１７に日時情報８３を取得させるとともに、測位部１５に位置の測定を行わせる。これにより、撮像部１６が被写体の撮像を行うことにより（ステップＳ１１）撮像情報８２を取得し、計時部１７が現在日時（すなわち、撮像部１６による撮像が行われた日時）を日時情報８３として取得する（ステップＳ１２）。さらに、測位部１５が、現在位置（すなわち、撮像部１６による撮像がされた位置）を測定して（ステップＳ１３）、位置情報８１を取得する。
【０１１０】
次に、作成部１００が、位置情報８１、撮像情報８２および日時情報８３とに基づいて、画像情報８０を作成し（ステップＳ１４）、撮像フォルダ１１４に格納することにより当該画像情報８０を保存する（ステップＳ１５）。撮像により得られた撮像情報８２（画像情報８０）の作成および保存が完了すると、デジタルカメラ１は、再び監視状態に戻る。
【０１１１】
監視状態において、ＣＰＵ１０（判定部１０２）が判定タイミングを検出すると、ＣＰＵ１０はステップＳ１６においてＹｅｓと判定し、判定部１０２による位置情報８１の秘匿の要否の判定が行われる（ステップＳ１７）。なお、判定部１０２がどのような状況を検出することによって判定タイミングを検出するかについては、すでに説明したのでここでは詳細な説明を省略するが、主には、画像情報８０が外部へ出力されるときを判定タイミングとして検出する。
【０１１２】
ステップＳ１７における判定部１０２の判定条件は様々な条件が想定される。
【０１１３】
まず、判定条件の１つ目の例として、判定部１０２は、画像情報８０に含まれる位置情報８１（撮像位置を示す位置情報）と記憶部１１に記憶された基準位置情報１１１（基準位置に関する位置情報）とを比較した結果に応じて、当該位置情報８１の秘匿の要否を判定することができる。
【０１１４】
具体的には、判定部１０２は、撮像位置（位置情報８１）と基準位置（基準位置情報１１１）との相対距離を算出し、算出した相対距離が閾値情報１１２に示される閾値以下である場合に位置情報８１の秘匿が必要と判定する。自宅の位置を基準位置とし、自宅の位置を基準位置情報１１１として予め記憶させておく場合を例にすると、自宅からの相対距離が閾値以下の場合、判定部１０２は、自宅が特定されるおそれがあるとして、位置情報８１の秘匿が必要であると判定する。このように、判定部１０２は、撮像位置を判定条件にして、位置情報８１の秘匿の要否を判定することができる。
【０１１５】
また、判定条件の２つ目の例として、判定部１０２は、作成部１００により画像情報８０に付加された日時情報８３に応じて、当該画像情報８０に含まれる位置情報８１の秘匿の要否を判定することができる。具体的には、日時情報８３に示される撮像日時が、所定の日時や所定の時間帯等に該当する場合に、位置情報８１の秘匿が必要と判定する。このように、判定部１０２は、撮像日時を判定条件にして、位置情報８１の秘匿の要否を判定できる。なお、判定基準となる日時や時間帯等は、予めユーザに設定させておき、記憶部１１に記憶させておけばよい。
【０１１６】
また、判定条件の３つ目の例として、判定部１０２は、記録メディア９１に記憶されている識別情報９１０に応じて、位置情報８１の秘匿の要否を判定することもできる。具体的には、識別情報９１０と識別情報１１３とを比較し、これらが一致した場合には、撮像フォルダ１１４に格納されている画像情報８０について、位置情報８１の秘匿が必要であると判定する。すなわち、位置情報８１の秘匿が必要となる画像情報８０を記憶させるための記録メディア９１の識別情報９１０を予め識別情報１１３として記憶部１１に記憶しておくことにより、判定部１０２は、記録メディア９１ごとの用途に応じて位置情報８１の秘匿の要否を判定することができる。
【０１１７】
また、判定条件の４つ目の例として、判定部１０２は、判定に際して、測位部１５に位置情報（出力位置に関する位置情報）を取得させ、当該出力位置に関する位置情報と基準位置情報１１１とを比較した結果に応じて、位置情報８１の秘匿の要否を判定することができる。例えば、自宅で出力しようとしているとみなせる場合は位置情報８１の秘匿の必要がないと判定するが、それ以外の場所では位置情報８１の秘匿が必要と判定する（判定結果は逆でもよい）。このように、判定部１０２は、デジタルカメラ１から外部に画像情報８０が出力されるときのデジタルカメラ１の位置（出力位置）に関する位置情報を判定条件として、位置情報８１の秘匿の要否を判定できる。
【０１１８】
また、判定条件の５つ目の例として、判定部１０２は、測位部１５が出力位置に関する位置情報を取得できたか否かに応じて、画像情報８０に含まれる位置情報８１の秘匿の要否を判定することができる。例えば、測位部１５が出力位置に関する位置情報を取得できなかった場合に、屋内において画像情報８０の出力がされようとしているとみなし、位置情報８１の秘匿が必要であると判定する（判定結果は逆でもよい）。
【０１１９】
さらに、判定条件の６つ目の例として、判定部１０２が動作モードを判定条件とし、デジタルカメラ１の動作モードが特定のモード（例えば秘匿モード）に設定されているときには、位置情報８１の秘匿が必要であると判定することもできる。
【０１２０】
ステップＳ１７における判定部１０２の判定条件としては以上のような条件が考えられるが、これらに限定されるものでもなく、また、必ずしもこれらのうちの全てを判定条件としなければならないわけでもない。これらの判定条件のうち、いずれを採用するかはユーザが予め設定情報として設定し記憶部１１に記憶させておくことができる。判定部１０２がこのような判定条件に応じて位置情報８１の秘匿の要否を判定することにより、状況に応じた秘匿の要否判定を行うことができる一方で、すべての画像情報８０について秘匿の要否判定を行う場合に比べて処理が軽減される。
【０１２１】
ステップＳ１７における判定部１０２による判定において、位置情報８１の秘匿が必要でないと判定された画像情報８０については、ステップＳ１８においてＮｏと判定され、判定部１０２から情報加工部１０１に対して、秘匿不要の最終的な判定結果が伝達される。この場合の画像情報８０は、情報加工部１０１による位置情報８１の加工がされることなく、そのまま画像情報８５が作成され（ステップＳ２４）、画像情報８０の出力先（記録メディア９１の出力用フォルダ９１１または閲覧端末７）に保存され（ステップＳ２５）、デジタルカメラ１は再び監視状態に戻る。
【０１２２】
一方、ステップＳ１７における判定部１０２による判定において、位置情報８１の秘匿が必要であると判定された画像情報８０については、ステップＳ１８においてＹｅｓと判定され、判定部１０２は位置情報８１の秘匿が必要であるとの仮判定結果に応じて、その旨を示す報知情報を液晶パネル１３に表示させる。これにより、液晶パネル１３によってユーザに対する報知情報の通知がされる（ステップＳ１９）。
【０１２３】
ステップＳ１９が実行されることにより、位置情報８１が漏洩する危険があり、当該位置情報８１の秘匿が必要であると通知されたユーザは、実際に、位置情報８１を秘匿するか否かを決定し、操作部１２を操作して、決定内容を示す指示情報（位置情報８１の秘匿を指示するか否かを示す指示情報）を入力する（ステップＳ２０）。
【０１２４】
判定部１０２は、ステップＳ２０においてユーザにより入力された指示情報を操作部１２から取得し、当該指示情報に応じて、ステップＳ１７において秘匿が必要と仮判定した画像情報８０に対する位置情報８１の秘匿がユーザによって指示されたか否かを判定する（ステップＳ２１）。
【０１２５】
そして、ユーザによって秘匿が指示されていない場合は、ステップＳ２１においてＮｏと判定し、当該画像情報８０の位置情報８１に対する秘匿が必要でないとの最終的な判定結果を情報加工部１０１に伝達する。これにより、ステップＳ２４，Ｓ２５が実行される。
【０１２６】
一方、ユーザによって秘匿が指示された場合は、ステップＳ２１においてＹｅｓと判定し、当該画像情報８０の位置情報８１に対する秘匿が必要であるとの最終的な判定結果を情報加工部１０１に伝達する。これにより、情報加工部１０１が撮像フォルダ１１４から当該画像情報８０を読み出し、当該画像情報８０に付加されている位置情報８１を加工して加工画像情報８４を作成する（ステップＳ２２）。
【０１２７】
なお、すでに説明したように、本実施の形態における情報加工部１０１は、位置情報８１の秘匿が必要であると判定された画像情報８０については、付加されている位置情報８１を削除する加工を施し、加工画像情報８４とする。
【０１２８】
このようにして作成された加工画像情報８４は、画像情報８０の出力先に保存され（ステップＳ２３）、デジタルカメラ１は再び監視状態に戻る。なお、より詳細には、デジタルカメラ１は、ステップＳ１７ないしＳ２５の処理をすべての画像情報８０に対して実行してから、監視状態に戻る。
【０１２９】
以上のように、第１の実施の形態におけるデジタルカメラ１は、被写体を撮像して撮像情報８２を取得する撮像装置であって、位置を測定して位置情報を取得する測位部１５と、撮像情報８２が取得されるときに測位部１５により取得される撮像位置を示す位置情報８１と当該撮像情報８２とに基づいて画像情報８０を作成する作成部１００と、作成部１００により作成された画像情報８０を記憶する記憶部１１と、記憶部１１に記憶された画像情報８０が外部に出力されるときに画像情報８０に含まれる撮像位置を示す位置情報８１の秘匿の要否を判定する判定部１０２と、判定部１０２による判定結果に応じて、当該画像情報８０に含まれる撮像位置を示す位置情報８１を加工する情報加工部１０１とを備えることにより、従来の技術のように撮像時に位置情報の要否を判定する場合に比べて、漏洩を効果的に防止できる。
【０１３０】
また、記憶部１１は基準位置情報１１１を記憶しており、判定部１０２は、作成部１００により作成された画像情報８０に含まれる撮像位置を示す位置情報８１と記憶部１１に記憶された基準位置情報１１１とを比較した結果に応じて、当該位置情報８１の秘匿の要否を判定することにより、状況に応じた秘匿の要否判定を行うことができるとともに、すべての画像情報に関して秘匿の要否を判定する場合に比べて処理が軽減される。
【０１３１】
＜２．  第２の実施の形態＞
第１の実施の形態では、撮像時においては、すべての撮像情報８２に位置情報８１が付加されるものとして説明した。しかし、デジタルカメラ１は、撮像時に、位置情報８１の秘匿の要否を判定するように構成してもよい。
【０１３２】
図６ないし図８は、第２の実施の形態におけるデジタルカメラ１によって実現される本発明の第２の実施の形態における画像保存方法を示す流れ図である。なお、第２の実施の形態におけるデジタルカメラ１の構成は、第１の実施の形態におけるデジタルカメラ１の構成と同様である。したがって、第２の実施の形態におけるデジタルカメラ１において第１の実施の形態におけるデジタルカメラ１と同様の機能および構成については同符号を付し、適宜、説明を省略する。
【０１３３】
第２の実施の形態におけるデジタルカメラ１のＣＰＵ１０は、第１の実施の形態と同様に、電源が投入されると、所定の初期設定を実行し（ステップＳ３１）、所定の状態を監視する監視状態となる。
【０１３４】
監視状態において、ＣＰＵ１０は、記録メディア９１のカードスロット１８への装着と、基準位置の登録指示と、撮像指示と、判定タイミングとを監視する状態となる（ステップＳ３２，Ｓ３７，Ｓ４１，Ｓ６１）。
【０１３５】
ここで、第２の実施の形態におけるステップＳ３２ないしＳ３９の処理は、第１の実施の形態におけるステップＳ２ないしＳ９の処理と同様であるため、説明は省略する。
【０１３６】
第２の実施の形態におけるデジタルカメラ１は、監視状態において、ユーザにより操作部１２が操作されて、撮像指示が入力されると、ステップＳ４１においてＹｅｓと判定し、ＣＰＵ１０は現在日時を取得するように計時部１７を制御するとともに、現在位置の測定を行うよう測位部１５を制御する。これにより、計時部１７によって現在日時が取得され（ステップＳ４２）、測位部１５によって位置情報が取得される。
【０１３７】
次に、第２の実施の形態における判定部１０２は、判定条件に応じて、撮像位置を示す位置情報８１の秘匿の要否を判定し（ステップＳ４４）、判定結果に応じて、位置情報８１の秘匿が必要か否かを判定する（ステップＳ４５）。なお、判定条件としては第１の実施の形態におけるステップＳ１７と同様な条件を用いることができる。
【０１３８】
位置情報８１の秘匿が不要であると判定した場合（ステップＳ４５においてＮｏ）、ＣＰＵ１０は撮像するよう撮像部１６を制御する。これにより、撮像部１６が被写体を撮像し（ステップＳ４６）、撮像情報８２が取得される。
【０１３９】
次に、ステップＳ４２で取得された現在日時を撮像日時を示す日時情報８３とするとともに、ステップＳ４３で取得された現在位置を撮像位置を示す位置情報８１として、ステップＳ４６で取得された撮像情報８２とともに作成部１００が画像情報８０を作成する（ステップＳ４７）。
【０１４０】
なお、ステップＳ４７が実行されるときは、撮像位置を示す位置情報８１の加工が不要であるため、測位部１５により取得された位置情報がそのまま画像情報８０に位置情報８１として付加される。また、位置情報８１および日時情報８３については、ステップＳ４６が実行された直後に、改めて取得するようにしてもよい。
【０１４１】
ステップＳ４７を実行することにより画像情報８０を作成すると、作成部１００は、作成した画像情報８０を撮像フォルダ１１４に格納することにより保存する（ステップＳ４８）。なお、ステップＳ４７，Ｓ４８が実行されるときは、すでに位置情報８１の秘匿が必要ないと判定されているため、ステップＳ４７において画像情報８５を作成し、ステップＳ４８において画像情報８５を出力用フォルダ９１１に保存するように構成してもよい。ただし、誤って位置情報８１が漏洩することを防止するためには、撮像情報８２を外部に出力する際に、もう一度、位置情報８１の秘匿の必要性について判断することが好ましい。したがって、特に、位置情報８１が加工されずに付加されている撮像情報８２に関しては、撮像時には、撮像フォルダ１１４に格納することが好ましい。
【０１４２】
ステップＳ４５において、位置情報８１の秘匿が必要であると判定された場合（ステップＳ４５においてＹｅｓ）、判定部１０２は位置情報８１の秘匿が必要であるとの仮判定結果に応じて、その旨を示す報知情報を液晶パネル１３に表示させる。これにより、液晶パネル１３によってユーザに対する報知情報の通知がされる（ステップＳ４９）。
【０１４３】
ステップＳ４９が実行されることにより、位置情報８１が漏洩する危険があり、当該位置情報８１の秘匿が必要であると通知されたユーザは、実際に、位置情報８１を秘匿するか否かを決定し、操作部１２を操作して、自己の決定内容を示す指示情報（位置情報８１の秘匿を指示するか否かを示す指示情報）を入力する（ステップＳ５０）。
【０１４４】
判定部１０２は、ステップＳ５０においてユーザにより入力された指示情報を操作部１２から取得し、当該指示情報に応じて、位置情報８１の秘匿がユーザによって指示されたか否かを判定する（ステップＳ５１）。
【０１４５】
そして、ユーザによって秘匿が指示されていない場合、判定部１０２はステップＳ５１においてＮｏと判定し、デジタルカメラ１はステップＳ４６ないしＳ４８の処理を実行する。
【０１４６】
一方、ユーザによって秘匿が指示された場合、判定部１０２はステップＳ５１においてＹｅｓと判定し、ＣＰＵ１０はユーザに指示された撮像を実行するよう撮像部１６を制御する。これにより、撮像部１６が被写体を撮像し（ステップＳ５２）、撮像情報８２が取得される。
【０１４７】
ステップＳ５２により撮像情報８２が取得されると、第２の実施の形態における作成部１００は、ステップＳ４３で取得された現在位置を撮像位置を示す位置情報８１として情報加工部１０１に伝達する。これにより、情報加工部１０１が当該位置情報８１を加工して作成部１００に伝達する。そして、作成部１００は、ステップＳ４２で取得された現在日時（日時情報８３）と、ステップＳ４６で取得された撮像情報８２と、情報加工部１０１により加工された位置情報８１とに基づいて、画像情報８０を作成する（ステップＳ５３）。
【０１４８】
なお、ステップＳ５３においては、位置情報８１を付加することなく、画像情報８０を作成してもよい。また、ステップＳ５３における位置情報８１に対する加工は、ダミーデータへの置換であってもよいが、後に当該画像情報８０が外部へ出力される際に位置情報８１の秘匿が不要となることを考慮して容易に位置情報８１を復旧できるように、ファイル内における格納場所の移動や暗号化等であることが好ましい。また、位置情報８１および日時情報８３については、ステップＳ５２が実行された直後に、改めて取得するようにしてもよい。
【０１４９】
ステップＳ５３を実行することにより画像情報８０を作成すると、作成部１００は、作成した画像情報８０を撮像フォルダ１１４に格納することにより保存する（ステップＳ５４）。
【０１５０】
なお、ステップＳ５３，Ｓ５４が実行されるときは、すでに位置情報８１の秘匿が必要と判定されている。したがって、ステップＳ５３において加工画像情報８４を作成し、当該加工画像情報８４をステップＳ５４において出力用フォルダ９１１に保存するように構成してもよい。ただし、撮像時と出力時とでは、ユーザの意図が変わることもあるため、撮像情報８２を外部に出力する際に、もう一度、位置情報８１の秘匿の必要性について判定するためにも、画像情報８０として作成し、撮像フォルダ１１４に格納することが好ましい。
【０１５１】
ステップＳ４８またはＳ５４を実行すると、第２の実施の形態におけるデジタルカメラ１は、再び監視状態に戻る。
【０１５２】
監視状態において、判定タイミングを検出すると、判定部１０２はステップＳ６１においてＹｅｓと判定する（ステップＳ６１）。なお、どのような状態を検出したときに、判定タイミングを検出したと判定するかは、第１の実施の形態におけるステップＳ１６と同様に構成することができる。
【０１５３】
ステップＳ６１においてＹｅｓと判定すると、判定部１０２は画像情報８０の位置情報８１を解析することにより、当該位置情報８１がすでに秘匿されているか否かを判定する。すなわち、当該位置情報８１がステップＳ５３により作成されたものか否かを判定するのである。
【０１５４】
位置情報８１が加工されている場合や位置情報８１が付加されていない場合、判定部１０２はステップＳ６２においてＹｅｓと判定し、さらに、位置情報８１を復旧するか否かを判定する（ステップＳ６３）。ステップＳ６３における判定は、ユーザが操作部１２を操作して入力する指示情報に応じて判定する。
【０１５５】
なお、本実施の形態におけるデジタルカメラ１では、復旧可能なように、ステップＳ５３において位置情報８１の加工が行われる。しかし、復旧不能の場合（例えば、単に位置情報８１が付加されていないだけの場合）は、ユーザによる指示情報の入力を待つことなく、ステップＳ６３においてＮｏと判定する。
【０１５６】
ステップＳ６３においてＮｏと判定された場合、情報加工部１０１は、すでに位置情報８１が秘匿されている状態の画像情報８０をそのまま加工画像情報８４として作成し（ステップＳ６４）、当該加工画像情報８４を指定された出力先（出力用フォルダ９１１または閲覧端末７等の外部装置）において保存する（ステップＳ６５）。なお、ステップＳ６３において復旧しないと判定された場合であっても、位置情報８１の加工方法等を変更して加工画像情報８４を作成できるように構成してもよい。
【０１５７】
ステップＳ６３においてＹｅｓと判定された場合、画像情報８０の位置情報８１を復旧することにより画像情報８５を作成し（ステップＳ６６）、当該画像情報８５を指定された出力先（出力用フォルダ９１１または閲覧端末７等の外部装置）において保存する（ステップＳ６７）。
【０１５８】
なお、ステップＳ６６における復旧は、位置情報８１が暗号化されている場合は復号化させて付加することにより復旧する。また、位置情報８１のファイル内における格納位置が変更されている場合は、所定の格納位置に戻すことにより復旧する。また、記憶部１１の他の領域に位置情報８１が退避保存されている場合には、これを取得して付加することにより復旧する。
【０１５９】
一方、ステップＳ６１においてＮｏと判定された場合（未だ位置情報８１が加工されることなく画像情報８０に含まれている場合）、判定部１０２は、判定条件に応じた判定を行う（ステップＳ６８）。なお、第２の実施の形態におけるステップＳ６８ないしステップＳ７４の処理は、第１の実施の形態におけるステップＳ１７ないしＳ２５の処理と同様に実行できるため、説明は省略する。
【０１６０】
以上のように、第２の実施の形態におけるデジタルカメラ１は、被写体を撮像して撮像情報８２を取得する撮像装置であって、位置を測定して位置情報を取得する測位部１５と、基準位置情報１１１を記憶する記憶部１１と、撮像情報８２が取得されるときに測位部１５により取得される撮像位置を示す位置情報８１と記憶部１１に記憶された基準位置情報１１１とを比較した結果に応じて、当該位置情報８１の秘匿の要否を判定する判定部１０２と、判定部１０２による判定結果と撮像情報８２とに基づいて画像情報８０を作成する作成部１００とを備えることにより、撮像位置に応じて、撮像位置に関する位置情報８１に対する処理を決定することができる。したがって、状況に応じて秘匿の要否を判定しつつ、すべての画像情報に関して秘匿の要否を判定する場合に比べて処理が軽減される。
【０１６１】
なお、第２の実施の形態におけるデジタルカメラ１では、撮像時に、位置情報８１の秘匿の要否を判定するために、撮像指示がされてから（ステップＳ４１においてＹｅｓと判定されてから）、被写体の撮像（ステップＳ４６，Ｓ５２）が実行されるまでに比較的時間を要する。特に、ステップＳ４９，Ｓ５０が実行される場合は、被写体の撮像が遅れることになる。
【０１６２】
すなわち、ユーザからすれば、シャッターボタンを操作（例えば半押し、あるいは本押し）したにも関わらず、撮像がされず、場合によっては指示情報の入力すら要求されることになる。これではシャッターチャンスを逃すおそれがあるばかりでなく、ユーザに煩雑な印象を与えることにもなりかねず、ユーザフレンドリーの観点から問題になる場合も予測される。
【０１６３】
これを回避する１つ目の手法としては、判定部１０２により位置情報８１の秘匿が必要と判定された場合（ステップＳ４５においてＹｅｓと判定された場合）であっても、ステップＳ４９，Ｓ５０，Ｓ５１をスキップして、直ちに被写体の撮像（ステップＳ５２）を実行するように構成することが考えられる。すなわち、撮像時には、比較的高速に処理可能な判定部１０２による判定のみで処理し、ユーザの意思確認を省略するのである。このように構成したとしても、第２の実施の形態では、デジタルカメラ１から画像情報８０が出力されるときに、当該画像情報８０に対してステップＳ６３またはＳ７２が実行され、ユーザの意図が反映される機会が与えられる。
【０１６４】
また、２つ目の手法としては、撮像指示がされたときに、第１の実施の形態における撮像と同様に被写体の撮像から画像情報８０の保存まで（ステップＳ１１ないしＳ１５まで）の処理を順次実行し、その直後に、ステップＳ６２ないしＳ７４の処理と同等の処理（ただし作成され保存されるのは加工画像情報８４や画像情報８５ではなく、画像情報８０となる）を実行するように構成することが考えられる。すなわち、撮像後に画像情報８０が保存されたときは、外部への出力を待つことなく、直ちに、判定部１０２による位置情報８１の秘匿の要否判定を実行するのである。これにより、被写体の撮像を遅らせることなく、実質的には撮像時に判定したのと同等の効果を得ることができる。
【０１６５】
また、３つ目の手法としては、撮像指示がされるたびに、毎回、判定部１０２による判定を行うのではなく、当該判定を間引くことが考えられる。具体的には、撮像日時を判定条件にした判定では所定の時間が経過するごとにのみ判定し、判定が行われない期間は直前のユーザの意図に従って処理する。あるいは、撮像位置を判定条件にした判定では所定のエリア内にいる間は、最初のユーザの意図に従って処理する。またあるいは、記録メディア９１の用途を判定条件にした判定では記録メディア９１が交換されるまでは、最初のユーザの意図に従って処理する等である。
【０１６６】
＜３．  変形例＞
以上、本発明の実施の形態について説明してきたが、本発明は上記実施の形態に限定されるものではなく様々な変形が可能である。
【０１６７】
例えば、基準位置の候補としては、自宅の位置に限定されるものではなく、学校の位置や職場の位置など、ユーザの希望に応じて設定すればよい。
【０１６８】
また、基準位置は必ずしも１カ所に限定されるものではなく、複数箇所の位置が基準位置情報１１１として記憶されていてもよい。その場合は、各基準位置ごとに閾値情報１１２を設定してもよいし、共通の閾値情報１１２に基づいて判定してもよい。
【０１６９】
また、上記実施の形態では、相対距離が閾値以下であれば位置情報８１の秘匿が必要と判定する例を説明したが、閾値以上の場合に秘匿が不要と判定するように構成しても同様の効果がある。
【０１７０】
また、判定部１０２による判定を行うタイミングとしては、上記実施の形態に示したものに限定されるものではなく、例えば、デジタルカメラ１を起動させたタイミングや、デジタルカメラ１において画像情報８０の再生が指示されたタイミング等であってもよい。
【０１７１】
また、加工の対象となる情報は、位置情報８１に限定されるものではない。例えば、撮像情報８２や日時情報８３が個人情報の漏洩防止の観点から、情報加工部１０１により加工されてもよい。例えば、撮像情報８２における人物の顔をぼかし加工したり、日時情報８３を削除したりしてもよい。
【０１７２】
また、上記実施の形態では撮像装置としてデジタルカメラ１を例に説明したが、例えば、撮像装置はデジタルカメラを内蔵した携帯電話であってもよい。
【０１７３】
また、上記実施の形態に示した機能ブロックはソフトウェアにより実現されると説明したが、これらの機能ブロックの一部または全部を専用の論理回路（ハードウェア）で実現してもよい。
【０１７４】
また、上記実施の形態に示した各工程はあくまでも例示であって、必ずしも上記実施の形態に示した内容および順序に限定されるものではない。すなわち、同様の効果が得られるのであれば、各工程の内容および順序等が適宜変更されてもよい。
【符号の説明】
【０１７５】
１  デジタルカメラ
１０  ＣＰＵ
１００  作成部
１０１  情報加工部
１０２  判定部
１１  記憶部
１１０  プログラム
１１１  基準位置情報
１１２  閾値情報
１１３，９１０  識別情報
１１４  撮像フォルダ
１２  操作部
１３  液晶パネル（出力手段）
１４  スピーカ
１５  測位部
１６  撮像部
１７  計時部
１８  カードスロット
１９  通信部
７  閲覧端末（外部装置）
８０，８５  画像情報
８１  位置情報
８２  撮像情報
８３  日時情報
８４  加工画像情報
９１  記録メディア
９１１  出力用フォルダ
【図１】
0005563361.tif 000002
【図２】
0005563361.tif 000003
【図３】
0005563361.tif 000004
【図４】
0005563361.tif 000005
【図５】
0005563361.tif 000006
【図６】
0005563361.tif 000007
【図７】
0005563361.tif 000008
【図８】
0005563361.tif 000009